(57)【要約】【課題】第１カードと、幅寸法が第１カードの幅寸法以上の第２カードとを選択的にケースに装着することが可能なカード用コネクタであって、第１カードと端子の接触圧を確保しやすいカード用コネクタの提供。【解決手段】ケース１は、第１カード５０が挿入される第１カード挿入部１５を底板３側に形成し、第１カード挿入部１５と連続させてカバー７側に第２カード６０を形成する。第１カード５０に対応する端子群５は、底板３に設けられて第１カード挿入部１５内に突出する。第１，第２カード５０，６０とともにケース１内を移動するスライダ３６には、第２カード挿入部１６側から第１カード５０の肉薄部５１に重なるように位置して、ケース１の厚さ方向であって端子群５から離れる方向への第１カード５０の移動を規制する規制部３９が設けられる。【選択図】図７
2007134077.tif 000002
【特許請求の範囲】
【請求項１】
第１カードと、幅寸法が前記第１カードの幅寸法以上の第２カードとを選択的にケースに装着することが可能なカード用コネクタであって、
前記ケースは、前記第１カードが挿入される空間である第１カード挿入部と、前記第２カードが挿入される空間である第２カード挿入部とを、前記ケースの厚さ方向に連続させて形成し、
前記第１カードに対応する端子は、前記ケースの厚さ方向において対向する内面のうち前記第１カード挿入部に近い方に設けられて前記第１カード挿入部内に突出し、
前記ケース内には、前記第１，第２カードに押圧されることによって前記ケースの奥に向かって移動するスライダが設けられ、
前記スライダには、前記第２カード挿入部側から前記第１カードに重なるように位置して、前記ケースの厚さ方向であって前記端子から離れる方向への前記第１カードの移動を規制する規制部が設けられることを特徴とするカード用コネクタ。
【発明の詳細な説明】
【技術分野】
【０００１】
本発明は、電子機器で作成されたデータを記録可能なカードが装着されるコネクタであって、寸法の異なる複数種類のガードを選択的に挿入可能な挿入口がケースに形成されたカード用コネクタに関する。
【背景技術】
【０００２】
カード用コネクタの従来技術としては、例えば特許文献１に示されるものがある。この従来技術は、第１カードと、厚さ寸法、長さ寸法及び幅寸法のいずれも第１カードの厚さ寸法、長さ寸法及び幅寸法のそれぞれよりも長い第２カードとを選択的にケースに挿入可能なカード用コネクタである。
【０００３】
ケースは、第２カードの厚さ寸法及び幅寸法に適合するカード挿入部を形成している。ケース内には、カード挿入部に第１，第２カードを選択的に挿入することを可能にする手段が設けられている。その手段は、カード挿入部内に第１カードの挿入は可能だが第２カードの挿入は不可能な大きさの開口を形成するとともにカード挿入部内に突出したりカード挿入部外に退避したりすることが可能な枠体と、カード挿入部内に突出した姿勢に自動復帰するよう枠体を付勢するねじりコイルばねとを備えている。
【０００４】
また、ケースの厚さ方向において対向する内面の一方には、第１カードに対応する端子と、第２カードに対応する端子が設けられている。
【０００５】
このように構成された従来技術では、カード挿入部に挿入された第１カードは、枠体が形成する開口に挿入された状態で、ケース内に設けられた端子に接触する。一方、カード挿入部に挿入された第２カードは、ねじりコイルばねに抗して枠体を押圧しカード挿入部外に退避させた状態で、ケース内に設けられた端子に接触する。
【特許文献１】特開２００３−３１７８５８号公報（図９〜１１）
【発明の開示】
【発明が解決しようとする課題】
【０００６】
前述したように従来技術では、厚い方の第２カードの寸法に対応したカード挿入部に、薄い方の第１カードも挿入されるようになっている。このため、第２カードと第１カードとの厚さ寸法の差の分だけ、第１カードは第２カードよりも端子から離れる方向への移動が許容されることになる。つまり、従来技術では、第１，第２カードの厚さ寸法の差が大きいほど、第１カードと端子との接触圧を確保しにくくなるという問題がある。
【０００７】
本発明は、前述の問題を考慮してなされたものであり、その目的は、第１カードと、幅寸法が第１カードの幅寸法以上の第２カードとを選択的にケースに装着することが可能なカード用コネクタであって、第１カードと端子の接触圧を確保しやすいカード用コネクタを提供することにある。
【課題を解決するための手段】
【０００８】
前述の目的を達成するために、本発明は、第１カードと、幅寸法が前記第１カードの幅寸法以上の第２カードとを選択的にケースに装着することが可能なカード用コネクタであって、前記ケースは、前記第１カードが挿入される空間である第１カード挿入部と、前記第２カードが挿入される空間である第２カード挿入部とを、前記ケースの厚さ方向に連続させて形成し、前記第１カードに対応する端子は、前記ケースの厚さ方向において対向する内面のうち前記第１カード挿入部に近い方に設けられて前記第１カード挿入部内に突出し、前記ケース内には、前記第１，第２カードに押圧されることによって前記ケースの奥に向かって移動するスライダが設けられ、前記スライダには、前記第２カード挿入部側から前記第１カードに重なるように位置して、前記ケースの厚さ方向であって前記端子から離れる方向への前記第１カードの移動を規制する規制部が設けられることを特徴とする。
【０００９】
このように構成された本発明では、第１カードとともに移動するスライダの規制部が、第２カード挿入部側から第１カードに重なるように位置して、ケースの厚さ方向であって端子から離れる方向への第１カードの移動を規制する。このようにして第１カードと端子の接触圧を得ることにより、第１カードと端子の接触圧を確保しやすいカード用コネクタを実現できる。
【発明の効果】
【００１０】
本発明は、前述したように、第１カードと端子と接触圧を確保しやすいカード用コネクタを実現できるので、第１カードと端子との接触不良の防止に貢献できる。
【発明を実施するための最良の形態】
【００１１】
本発明のカード用コネクタの最良の実施形態について図を用いて説明する。
【００１２】
図１は本発明のカード用コネクタの最良の実施形態の外観を示す２面図であり、（ａ）は上面図、（ｂ）は右側面図である。図２は図１に示す実施形態の分解斜視図である。図３は図１（ａ）に示す上面図から金属製カバーを取除いた状態を示す上面図である。図４は図１に示すケースに装着される第１カードである幅狭カードの２面図であり、（ａ）は上面図、（ｂ）は右側面図である。図５は図１に示すケースに装着される第２カードである第１幅広カードの３面図であり、（ａ）は上面図、（ｂ）は左側面図、（ｃ）は背面図である。図６は図１に示すケースに装着される別の第２カードである第２幅広カードの３面図であり、（ａ）は上面図、（ｂ）は左側面図、（ｃ）は背面図である。なお、本実施形態の上下左右の向きを、図１等に示すように決めてあるが、この向きは本実施形態を使用する際の向きを定めたものではない。
【００１３】
図１，２に示すように、本実施形態はケース１を備えている。このケース１はケース本体２と、このケース本体２を上方から覆うカバー７とが結合してなる。
【００１４】
ケース本体２とカバー７の間には、図４に示す幅狭カード５０と、図５に示す第１幅広カード６０と、図６に示す第２幅広カード７０とを選択的に挿入するためのカード挿入空間１０が形成されている。
【００１５】
第１幅広カード６０の幅寸法は幅狭カード５０の幅寸法よりも大きい。また、第１幅広カード６０の左右両側部全体は、肉薄に形成された肉薄部６１Ａ，６１Ｂになっている。これらの肉薄部６１Ａ，６１Ｂは、第１幅広カード６０の下面側から上面側に向かって薄く形成されてなる。肉薄部６１Ａ，６１Ｂの少なくとも一方、例えば両方には、切欠き６２Ａ，６２Ｂが設けられている。切欠き６２Ａ内には、ライトプロテクトの有効・無効を切換えるための操作部材（図示しない）がスライド操作可能に設けられている。
【００１６】
第２幅広カード７０の幅寸法及び長さ寸法のそれぞれは、第１幅広カード６０の幅寸法及び長さ寸法のそれぞれとほぼ等しい。第２幅広カード７０の厚さ寸法は、第１幅広カード６０の肉薄部６１Ａ，６１Ｂの厚さ寸法とほぼ等しい。また、第２幅広カード７０の上面視形状は、切欠き６２Ａ，６２Ｂや前記操作部材がないことを除いけば第１幅広カード６０の上面視形状とほぼ同じである。
【００１７】
幅狭カード５０の右側部には、前端から後方に延び、上面側から下面側に向かって薄くなった肉薄部５１が形成されている。
【００１８】
前記カード挿入空間１０は、幅狭カード５０が挿入される幅狭カード挿入部１５（図７参照）と、第１，第２幅広カード６０，７０が選択的に挿入される幅広カード挿入部１６（図１２参照）とが、ケース１の厚さ方向に連続してなる空間である。
【００１９】
また、このカード挿入空間１０は、ケース１の後端で開口するカードの挿入口１１を含んでいる。この挿入口１１は、左右両縁部の間隔寸法が幅狭カード５０の幅寸法に対応する大きさの第１間隔部１２と、左右両縁部の間隔寸法が第１，第２幅広カード６０，７０の幅寸法に対応する大きさの第２間隔部１３と、第１間隔部１２と第２間隔部１３の間に形成され、左右両縁部の間隔寸法が第１幅広カード６０の肉厚部６３の幅寸法に対応する大きさの第３間隔部１４とが、ケース本体２の底板３からカバー７に向かう方向に第１間隔部１２、第３間隔部１４、第２間隔部１３の順に連続してなる。
【００２０】
幅狭カード挿入部１５は、第１間隔部１２と第３間隔部１４からなる開口から、ケース１の奥へ向かって延びた空間である。幅広カード挿入部１６は、第２間隔部１３と第３間隔部１４からなる開口から、ケース１の奥へ向かって延びた空間である。つまり、幅狭カード挿入部１５はケース本体２の底板３側に配置されていて、幅広カード挿入部１６はカバー７側に配置されていて、幅狭カード挿入部１５と幅広カード挿入部１６は、厚さ方向における空間の一部、すなわち第３間隔部１４からケース１の奥へ向かって延びた空間を共有している。
【００２１】
ケース１内において、幅狭カード５０に対応する端子群５は、ケース１の厚さ方向において対向する内面のうち幅狭カード挿入部１５に近い方、すなわち、底板３に配置されていて、幅狭カード挿入部１５内に突出している。また、第１，第２幅広カード６０，７０の両方に対応する端子群６も底板３に配置されていて、端子群５よりもケース１の奥側で、幅広カード挿入部１６内に突出している。
【００２２】
本実施形態は、第１，第２幅広カード６０，７０が、幅広カード挿入部１６に挿入されるのを許容し、幅広カード挿入部１６に幅狭カード５０が挿入されるのを阻止する挿入阻止手段を備えている。この挿入阻止手段は、挿入阻止用可動体１７と、ねじりコイルばね２１と、１対のロック用可動体２２Ａ，２２Ｂと、ねじりコイルばね２７Ａ，２７Ｂとを備えている。
【００２３】
挿入阻止用可動体１７は、ケース１内を幅方向に横切って配置される板部１８と、この板部１８の左右両側部に設けられ、ケース１の幅方向に延びた軸部１９，２０とを備えている。軸部１９，２０は、ケース１の左右両側部に回転可能に支持されている。板部１８は軸部１９，２０周りに回転することによって、幅狭カード挿入部１５側から立ち上がって幅広カード挿入部１６に突出したり、ケース１の奥へ向かって幅広カード挿入部１６外に倒れたりすることが可能になっている。
【００２４】
板部１８が立ち上がって幅広カード挿入部１６内に突出した姿勢は、幅広カード挿入部１６への幅狭カード５０の挿入を阻止可能な挿入阻止姿勢である（図７参照）。板部１８が幅広カード挿入部１６外へ倒れた姿勢、すなわち、第１幅広カード挿入部１６外に退避した姿勢は、幅広カード挿入部１６への第１幅広カード６０の挿入を許容する第１挿入許容姿勢である（図１５参照）。また、第１挿入許容姿勢のときほど板部１８が倒れてはいないが、カバー７との間で第２幅広カード７０が挿入可能な間隔を形成する姿勢、すなわち、板部１８が第２幅広カード７０の挿入軌道外に退避した姿勢は、幅広カード挿入部１６への第２幅広カード７０の挿入を許容する第２挿入許容姿勢である。
【００２５】
ねじりコイルばね２１は、ケース本体２の右側部で、軸部２０の外周側に配置され、板部１８が挿入阻止姿勢に自動復帰するよう挿入阻止用可動体１７を付勢する付勢手段である。
【００２６】
１対のロック用可動体２２Ａ，２２Ｂのそれぞれは、挿入阻止用可動体１７よりも後方におけるケース本体２内の左右両側部に設けられている。
【００２７】
左側のロック用可動体２２Ａは、ケース１の厚さ方向に延びた軸部２３Ａを有する。この軸部２３Ａはケース本体２に回転可能に支持されている。ロック用可動体２２Ａは、軸部２３Ａ周りに回転して姿勢を変化させることが可能になっている。
【００２８】
また、ロック用可動体２２Ａは、ケース１の奥へ向かって突出する突起部２４Ａを有している。この突起部２４Ａは、軸部２３Ａ周りに回転することによって、挿入阻止用可動体１７に後方から当接して、挿入阻止用可動体１７の第１，第２挿入許容姿勢への変化を阻止する姿勢、すなわち、挿入阻止姿勢に固定するロック姿勢と、挿入阻止用可動体１７から離れてロックを解除する解除姿勢とに変化可能である。右側のロック用可動体２２Ｂも軸部２３Ａ及び突起部２４Ａと同様の、軸部２３Ｂ及び突起部２４Ｂを有している。
【００２９】
また、ロック用可動体２２Ａには、左側の肉薄部６１Ａよりも中央側の第１幅広カード６０の部分、すなわち肉厚部６３によって解除姿勢となるよう操作される第１操作部２５Ａと、第２幅広カード７０の左側部によって解除姿勢となるよう操作される第２操作部２６Ａとが設けられている。ロック用可動体２２Ａがロック姿勢のとき、第１，第２操作部２５Ａ，２６Ａは、第１幅広カード６０の挿入軌道内に突出している。また、第１操作部２５Ａの突出量よりも第２操作部２６Ａの突出量の方が大きくなっている。ロック用可動体２２Ｂにも、第１，第２操作部２５Ａ，２６Ａと同様の第１，第２操作部２５Ｂ，２６Ｂが設けられている。
【００３０】
ねじりコイルばね２７Ａは、ロック用可動体２２Ａの軸部２３Ａの外周側に配置されて、ロック姿勢に自動復帰するようロック用可動体２２Ａを付勢する付勢手段である。ねじりコイルばね２７Ｂは、ロック用可動体２２Ｂの軸部２３Ｂの外周側に配置されて、ロック姿勢に自動復帰するようロック用可動体２２Ｂを付勢する付勢手段である。
【００３１】
また、図２，３に示すように、本実施形態は、幅広カード挿入部１６への第１，第２幅広カード６０，７０の挿入を許容し、端子群５から離れる方向への幅狭カード５０の移動を幅広カード挿入部１６内から規制するガイド手段を備えている。このガイド手段はガイド用可動体２８Ａ，２８Ｂと、ねじりコイルばね３４Ａ，３４Ｂとを備えている。
【００３２】
ガイド用可動体２８Ａは、ケース１内の中央よりも左側の範囲で、ケース１の幅方向における進退が可能となるよう設けられている。例えば、第１回動部材２９Ａと第２回動部材３１Ａとからなる。
【００３３】
第１回動部材２９Ａは、ケース１の厚さ方向に延びた軸部３０Ａを有している。この軸部３０Ａは、ケース１の左側部に、ケース本体２とカバー７とにより回転可能に支持されている。つまり、第１回動部材２９Ａは、ケース１内の左側部に回動可能に支持されている。図２において、カバー７に設けられた８Ａは、軸部３０Ａが挿入される軸孔である。
【００３４】
第２回動部材３１Ａは、ケース１の厚さ方向に貫通する軸孔３２Ａを有している。第２回動部材３１Ａは軸孔３２Ａの位置で、ケース本体２とカバー７とによって回動可能に支持されている。つまり、第２回動部材３１Ａは、ケース１内の左側部において、第１回動部材２９Ａとはケース１内の奥行方向において異なる位置、例えば第１回動部材２９Ａよりも後方で挿入阻止用可動体１７の近傍に、回動可能に支持されている。図２において、ケース本体２の左側部に設けられる４Ａは、軸孔３２Ａに挿入される軸部であり、カバー７に設けられる９Ａは、軸部４Ａの軸孔３２Ａから突き出た部分が挿入される軸孔である。
【００３５】
第１，第２回動部材２９Ａ，３１Ａは、第１回動部材２９Ａの上面から突出するガイド突起３１Ａが、第２回動部材３１Ａに設けられるアーチ状のガイド孔３３Ａに挿入されることによって結合している。第１，第２回動部材２９Ａ，３２Ａがこのようにして結合することで、ガイド用可動体２８Ａは曲折させたり、ケース１内の左側部に直線状に畳んだりすることが可能になっている。
【００３６】
ガイド用可動体２８Ａが曲折してケース１内の左側部から幅広カード挿入部１６内に突出した姿勢は、幅狭カード５０の挿入中及び装着後に、ケース１の厚さ方向であって端子群５から離れる方向への幅狭カードの移動を規制するためのガイド姿勢である。ガイド用可動体２８Ａがケース１内の左側部で直線状に畳まれた姿勢は、第１，第２幅広カード６０，７０の幅広カード挿入部１６への挿入を許容するためにケース１の左側部へ退避した退避姿勢である。
【００３７】
ガイド用可動体２８Ｂも、ガイド用可動体２８Ａと同様の構成で、第１，第２回動部材２９Ｂ，３２Ｂがガイド突起３１Ｂとガイド孔３４Ｂにより結合されてなる。図２において、カバー７に設けられた８Ｂは、第１回動部材２９Ｂの軸部３０Ｂが挿入される軸孔であり、ケース本体２の右側部に設けられる４Ｂは、第２回動部材３２Ｂの軸孔３３Ｂに挿入される軸部であり、カバー７に設けられる９Ｂは、軸部４Ｂの軸孔３２Ｂから突き出た部分が挿入される軸孔である。
【００３８】
ガイド用可動体２８Ｂが曲折してケース１内の右側部から幅広カード挿入部１６内に突出した姿勢は、ケース１の厚さ方向であって端子群５から離れる方向への幅狭カードの移動を規制するためのガイド姿勢である。ガイド用可動体２８Ｂがケース１内の右側部で直線状に畳まれた姿勢は、第１，第２幅広カード６０，７０の幅広カード挿入部１６への挿入を許容するためにケース１の右側部へ退避した退避姿勢である。
【００３９】
ねじりコイルばね３４Ａは、ガイド姿勢に自動復帰するようガイド用可動体２８Ａを付勢する付勢手段であり、第１回動部材２９Ａの軸部３０Ａの外周側に配置され、幅広カード挿入部１６内に突出するよう第１回動部材２９Ａを付勢している。ねじりコイルばね３４Ｂは、ガイド姿勢に自動復帰するようガイド用可動体２９Ｂを付勢する付勢手段であり、第１回動部材２９Ｂの軸部３０Ｂの外周側に配置され、幅広カード挿入部１６内に突出するよう第１回動部材２９Ｂを付勢している。
【００４０】
また、図２，３に示すように、本実施形態は、ケース１内において幅狭カード５０や第１幅広カード６０や第２幅広カード７０に押圧されることによってケース１の奥へ向かって移動可能なスライダ３６を備えている。
【００４１】
このスライダ３６は、ケース本体２の右側部に対して摺動可能に設けられている。このスライダ３６には、幅狭カード挿入部１５内の右側部に配置され、幅狭カード５０の右前端部と合致する形状の幅狭カード受部３７と、幅広カード挿入部１６内に配置され、第１，第２幅広カード６０，７０の右前端部と合致する形状の幅広カード受部３８とが設けられている。
【００４２】
また、このスライダ３６には、幅広カード挿入部１６側から幅狭カード５０の肉薄部５１に重なるように位置し、ケース１の厚さ方向であって端子群５から離れる方向への幅狭カード５０の移動を規制する規制部３９が設けられている（図７，８参照）。
【００４３】
また、本実施形態は、スライダ３６をカードの排出方向に付勢する付勢手段としての圧縮コイルばね４０と、スライダ３６を所定位置にロックしたりロックを解除したりすることが可能なスライダロック手段を備えている。
【００４４】
圧縮コイルばね４０は、ケース本体２の右側部において、ケース本体２の前端部とスライダ３６の間に配置されている。
【００４５】
スライダロック手段は、ハート型カム溝４１（図９，１０，１１参照）と、ロック部材４２と、片持ちばね４３とを備えている。ハート型カム溝４１は、ケース本体２の右側部に設けられている。ロック部材４２は、金属線材の両端が同じ方向に折り曲げられてなり、一端がハート型カム溝４１に挿入され、他端がスライダ３６に回転可能に支持されている。片持ちばね４３は、ロック部材４２の他端の付近でスライダ３６に固定され、ロック部材４２をハート型カム溝４１に押し付けている。
【００４６】
また、本実施形態は、幅狭カード５０、第１幅広カード６０、第２幅広カード７０がケース１に装着されたか否かを検出する装着検知手段を備えている。この装着検知手段は、スライダ検知部材４４と、コイルばね４５とを備えている。スライダ検知部材４４は、ケース本体２の前端部に厚さ方向へ回動可能に支持されている。コイルばね４５は、スライダ３６の軌道内に突出した状態に自動復帰するようスライダ検知部材４４を付勢している。コイルばね４５は可動接点も兼ねている。つまり、スライダ３６によりスライダ検知部材４４が底板３の方向に押圧操作されると、コイルばね４５が変形して固定接点（図示しない）に接触するようになっている。コイルばね４５と固定接点の接触により生成される電気信号は、本実施形態と接続された電子機器（図示しない）に与えられる。
【００４７】
また、本実施形態は、第１幅広カード６０のライトプロテクトが有効になっているか否かを検出するライトプロテクト検知手段を備えている。このライトプロテクト検知手段は、ライトプロテクト検知部材４６と、コイルばね４７とを備えている。ライトプロテクト検知部材４６は、ケース本体２の左側部に、厚さ方向へ回動可能に支持されている。コイルばね４７は、第１幅広カード６０の左側部の肉薄部６１Ａの軌道内に突出するようライトプロテクト検知部材４６を付勢している。コイルばね４７は可動接点も兼ねている。つまり、第１幅広カード６０や第２幅広カード７０によりライトプロテクト検知部材４６が底板３の方向に押圧操作されると、コイルばね４７が変形して固定接点（図示しない）に接触するようになっている。コイルばね４７と固定接点の接触により生成される電気信号も前記電子機器に与えられる。
【００４８】
このように構成した本実施形態の動作について説明する。
【００４９】
図２０に示すように、ケース１に幅狭カード５０、第１幅広カード６０、第２幅広カード７０のいずれも挿入されていない状態では、挿入阻止用可動体１７はねじりコイルばね２１で付勢されていることにより挿入阻止姿勢に保持されている。左側のロック用可動体２２Ａはねじりコイルばね３５Ａで付勢されていることによりロック姿勢に保持されている。同様に、右側のロック用可動体２２Ｂはねじりコイルばね３５Ｂで付勢されていることによりロック姿勢に保持されている。つまり、挿入阻止姿勢の挿入阻止用可動体１７がロック用可動体２２Ａ，２２Ｂによりロックされている。
【００５０】
また、図３に示すように、ガイド用可動体２８Ａは、第１回動部材２９Ａがねじりコイルばね３５Ａで付勢されていることによって、ケース１の左側部から幅広カード挿入部１６内に突出したガイド姿勢に保持されている。同様に、ガイド用可動体２８Ｂは、第１回動部材２９Ｂがねじりコイルばね３５Ｂで付勢されることによって、ケース１の右側部から幅広カード挿入部１６内に突出したガイド姿勢に保持されている。
【００５１】
図７に示すように、幅狭カード５０をケース１に装着する場合、使用者は幅狭カード５０の前端を、挿入口１１の第１間隔部１２と第３間隔部１４により形成される開口から、幅狭カード挿入部１５に挿入する。
【００５２】
使用者は誤って幅狭カード５０の前端を、第２間隔部１３や、第２間隔部１３と第３間隔部１４からなる開口に挿入することがある。この場合、前述したように挿入阻止姿勢の挿入阻止用可動体１７が左右両側のロック用可動体２２Ａ，２２Ｂによりロックされた状態であり、ロック用可動体２２Ａ，２２Ｂの両方が幅狭カード５０の前端によって操作されることはないので、幅狭カード５０の幅広カード挿入部１６への挿入は、挿入阻止用可動体１７により阻止される。
【００５３】
図７に示すように前端が幅狭カード挿入部１５に挿入された状態の幅狭カード５０を使用者がさらにケース１に押し込むと、図８に示すように、幅狭カード５０の前端はと挿入阻止用可動体１７と底板３の間を通過した後、ガイド用可動体２８Ａ，２８Ｂと底板３の間をケース１の奥へ向かって移動する。この状態では、ケース１内において、幅広カード挿入部１６の方向への幅狭カード５０の前端の移動が、ガイド用可動体２８Ａ，２８Ｂによって規制されている。
【００５４】
また、図７と図８を比較して分かるように、幅狭カード５０の肉薄部５１は、挿入阻止用可動体１７と底板３の間を通過した後、スライダ３６の規制部３９と底板３の間に挿入される。つまり、ケース内において、幅広カード挿入部１６の方向へ幅狭カード５０の前端の移動が、スライダ３６の規制部３９によっても規制されている。
【００５５】
また、幅狭カード５０はケース１の奥へ向かって移動していくと、その右前端部が図８に示すようにスライダ３６の幅狭カード受部３７に達する。その後、幅狭カード５０は使用者に押圧されることにより、圧縮コイルばね４０による付勢に抗して、図９，１０に示すようにスライダ３６とともにケース１の奥へ向かって移動する。
【００５６】
そして、図１０に示すように、幅狭カード５０とスライダ３６が挿入方向への移動の限界位置に達すると、使用者は幅狭カード５０を押圧するのをやめる。これに伴い、スライダ３６は圧縮コイルばね４０により付勢されて前記限界位置から排出方向へ、図１１に示す所定位置まで移動し、この所定位置でハート型カム溝４１とロック部材４２の協働によってロックされる。つまり、図１１に示す状態が、ケース１への幅狭カード５０の装着が完了した状態、すなわち、端子群５に幅狭カード５０が適切な位置で接触した状態である。この状態では、ガイド用可動体２８Ａ，２８Ｂとスライダの規制部３９とが、ケース１の厚さ方向であって端子群５から離れる方向への幅狭カード５０の移動を規制している。
【００５７】
このように幅狭カード５０が装着された状態では、スライダ３６がスライダ検知部材４４をコイルばね４５による付勢に抗して底板３の方向に押圧操作していて、これに伴い、コイルばね４５が変形して固定接点に接触している。
【００５８】
また、ケース１から幅狭カード５０を抜取る場合、使用者は幅狭カード５０を押圧して、スライダ３６とともに再び挿入の限界位置まで移動させた後、幅狭カード５０を押圧するのをやめる。この間、ハート型カム溝４１とロック部材４２の協働によってスライダ３６のロックが解除される。これに伴い、スライダ３６は圧縮コイルばね４０により付勢されて、幅狭カード５０をケース１から押出しながら初期位置（図８に示す位置）まで移動する。このようにしてケース１から押出された幅狭カード５０の後端部を使用者は摘んで、ケース１から抜取る。
【００５９】
図１２に示すように、第１幅広カード６０をケース１に装着させる場合、使用者は第１幅広カード６０の前端を、挿入口１１の第２間隔部１３と第３間隔部１４により形成される開口から、幅広カード挿入部１６に挿入する。
【００６０】
このようにして幅広カード挿入部１６に挿入された第１幅広カード６０は、その左側部の前端で、図１２に示すように左側のロック用可動体２２Ａに当接する。この状態で、使用者が第１幅広カード６０を押圧すると、図１３に示すように、第１幅広カード６０の左側部の前端はロック用可動体２２Ａをねじりコイルばね２７Ａによる付勢に抗して回動させながら、すなわちロック用可動体２２Ａの姿勢を解除姿勢に変化させながら、ケース１の奥へ向かって移動する。
【００６１】
第１幅広カード６０の左側部の前端がロック用可動体２２Ａを通過した後、同図１３に示すように第１幅広カード６０の右側部の前端が、右側のロック用可動体２２Ｂに当接する。この状態で、使用者が第１幅広カード６０を押圧すると、図１４に示すように、第１幅広カード６０の右側部の前端はねじりコイルばね２７Ｂによる付勢に抗してロック用可動体２２Ｂを回動させながら、すなわちロック用可動体２２Ｂの姿勢を解除姿勢に変化させながら、ケース１の奥へ向かって移動する（図２３参照）。
【００６２】
図１４に示すようにロック用可動体２２Ａ，２２Ｂの両方が解除姿勢になった状態、すなわち、挿入阻止用可動体１７のロックが解除された状態では、挿入阻止用可動体１７はねじりコイルばね２１により付勢されて挿入阻止姿勢に保持されている。したがって、第１幅広カード６０を使用者が押圧すると、第１幅広カード６０の前端は、図１５（ａ）に示すように挿入阻止用可動体１７の板部１８をねじりコイルばね２１による付勢に抗して押倒しながら、ケース１の奥へ向かって移動する。このとき、押倒された板部１８は、図１５（ｂ）に示すように第１幅広カード６０の挿入軌道外である幅狭カード挿入部１５内に退避した状態になる。
【００６３】
また、図１５，１６に示すように、第１幅広カード６０の左側部の前端は、挿入阻止用可動体１７を通過した後、第１回動部材２９Ａを介したねじりコイルばね３５Ａによる付勢に抗して第２回動部材３２Ａを回動させながら、ケース１の奥へ向かって移動する。これに伴い、ガイド用可動体２８Ａは、ケース１内の左側部に直線状に畳まれた退避姿勢に変化していく。
【００６４】
幅狭カード５０の右側部の前端は、第１幅広カード６０の左側部の前端がガイド用可動体２８Ａを退避姿勢に変化させている途中から、第１回動部材２８Ｂを介したねじりコイルばね２７Ｂによる付勢に抗して第２回動部材３２Ｂを回動させながら、ケース１の奥へ向かって移動するようになる。これに伴い、ガイド用可動体２８Ｂは、ケース１内の右側部に直線状に畳まった退避姿勢に変化していく。
【００６５】
第１幅広カード６０は、ガイド用可動体２８Ａ，２８Ｂの両方を退避姿勢に変化させた後、さらにケース１の奥へ向かって移動すると、図１７に示すように、スライダ３６の幅広カード受部３８に達する。その後、第１幅広カード６０は使用者に押圧され、圧縮コイルばね４０による付勢に抗してスライダ３６とともにケース１の奥へ向かって移動する。
【００６６】
そして、図１８に示すように第１幅広カード６０とスライダが挿入の限界位置に達すると、使用者は第１幅広カード６０を押圧するのをやめる。これに伴い、スライダ３６は圧縮コイルばね４０により付勢されて前記限界位置から排出方向へ、図１９に示す所定位置まで移動し、この所定位置でハート型カム溝４１とロック部材４２の協働によってロックされる。つまり、図１９に示す状態が、ケース１への第１幅広カード６０の装着が完了した状態、すなわち、第１幅広カード６０が適切な位置で端子群６に接触した状態である。
【００６７】
また、第１幅広カード６０がケース１に装着された状態では、幅狭カード５０がケース１に装着されたときと同様に、スライダ３６がスライダ検知部材４４をコイルばね４５による付勢に抗して底板３の方向に押圧操作していて、コイルばね４５が変形して固定接点に接触している。
【００６８】
また、第１幅広カード６０がケース１に装着された状態では、第１幅広カード６０の切欠き６１内における操作部材（図示しない）の位置によって、ライトプロテクト検知部材４６が底板３の方向に押圧操作されていたりされていなかったりする。ライトプロテクト検知部材４６が押圧操作されていれば、コイルばね４７が変形して固定接点に接触している。
【００６９】
ケース１から第１幅広カード６０を抜取る場合、使用者は第１幅広カード６０を押圧して、スライダ３６とともに再びケース１の挿入の限界位置まで移動させた後、第１幅広カード６０を押圧するのをやめる。この間、ハート型カム溝４１とロック部材４２の協働によってスライダ３６のロックが解除される。これに伴い、スライダ３６は圧縮コイルばね４０により付勢されて、第１幅広カード６０をケース１から押出しながら初期位置（図１７に示す位置）まで移動する。このようにしてケース１から押出された第１幅広カード６０の後端部を使用者は摘んで、ケース１から抜取る。
【００７０】
第２幅広カード７０をケース１に装着する場合、及び、ケース１から第２幅広カード７０を抜取る場合のそれぞれについては、第１幅広カード６０の場合とほぼ同様であるので、説明を省略する。ただし、第１幅広カード６０と第２幅広カード７０とでは、ロック用可動体２２Ａ，２２Ｂを操作する際にロック用可動体２２Ａ，２２Ｂを押圧する位置が相違するので、この相違について説明する。
【００７１】
図２１〜２３に拡大して示すように、第１幅広カード６０は、はじめに左側のロック用可動体２２Ａに当接し、このロック用可動体２２Ａを回動させて挿入阻止用可動体１７の左側のロックを解除する。次に右側のロック用可動体２２Ｂに当接し、このロック用可動体２２Ｂを回動させて挿入阻止用可動体１７の右側のロックを解除する。
【００７２】
また、図２４〜２６に示すように、第２幅広カード７０は、はじめに左側のロック用可動体２２Ａに当接し、このロック用可動体２２Ａを回動させて挿入阻止用可動体１７の左側のロックを解除する。次に右側のロック用可動体２２Ｂに当接し、このロック用可動体２２Ｂを回動させて挿入阻止用可動体１７の右側のロックを解除する。
【００７３】
このように第１，第２幅広カード７０のそれぞれの挿入に伴うロック用可動体２２Ａ，２２Ｂの動作のそれぞれを上方から見た場合、第１幅広カード６０も第２幅広カード７０も同様にしてロック用可動体２２Ａ，２２Ｂを回動させているように見える。
【００７４】
ところが、第１幅広カード６０左側部の前端は、図２７，２８に示すように、肉薄部６１Ａでロック用可動体２２Ａの第２操作部２６Ａを押圧し、肉厚部６３でロック用可動体２２Ａの第１操作部２５Ａに押圧してロック用可動体２２Ａを回動させ、これに対し、第２幅広カード７０の左側部の前端は、図２９，３０に示すように、第２操作部２６Ａのみを押圧してロック用可動体２２Ａを回動させている。第１，第２幅広カード６０，７０のそれぞれがロック用可動体２２Ｂを回動させる場合も同様である。
【００７５】
本実施形態によれば次の効果を得られる。
【００７６】
幅狭カード５０とともに移動するスライダ３６の規制部３９が、幅広カード挿入部１６側からケース１の厚さ方向であって端子群５から離れる方向への幅狭カード５０の移動を規制する。このようにして幅狭カード５０と端子群５の接触圧を得ることにより、幅狭カード５０と端子群５の接触圧を確保しやすいカード用コネクタを実現できる。この結果、幅狭カード５０と端子群５との接触不良の防止に貢献できる。
【図面の簡単な説明】
【００７７】
【図１】本発明のカード用コネクタの最良の実施形態の外観を示す２面図であり、（ａ）は上面図、（ｂ）は右側面図である。
【図２】図１に示す実施形態の分解斜視図である。
【図３】図１（ａ）に示す上面図から金属製カバーを取除いた状態を示す上面図である。
【図４】図１に示すケースに装着される第１カードである幅狭カードの２面図であり、（ａ）は上面図、（ｂ）は右側面図である。
【図５】図１に示すケースに装着される第２カードである第１幅広カードの３面図であり、（ａ）は上面図、（ｂ）は左側面図、（ｃ）は背面図である。
【図６】図１に示すケースに装着される別の第２カードである第２幅広カードの３面図であり、（ａ）は上面図、（ｂ）は左側面図、（ｃ）は背面図である。
【図７】図１に示す実施形態に、図４に示す幅狭カードの前端部を挿入した状態を示す３面図であり、（ａ）は上面図、（ｂ）は左側面図、（ｃ）は背面図である。
【図８】図７に示す状態から幅狭カードがケースの奥へ向かって移動し、幅狭カードの右側部の前端がスライダに当接した状態を示す図である。
【図９】図８に示す状態から幅狭カードがスライダとともにケースの奥へ向かって移動した状態を示す図である。
【図１０】図８に示す状態から幅狭カードがスライダとともにケースに向かって移動し、挿入の限界位置に達した状態を示す図である。
【図１１】図８に示す状態でロック手段が作動し、スライダが所定位置にロックされた状態を示す図である。
【図１２】図１に示す実施形態に、図５に示す第１幅広カードの前端が挿入された状態を示す図であり、（ａ）は金属製カバーを取除いた状態の上面図、（ｂ）は左側面図、（ｃ）は背面図である。
【図１３】図１２に示す状態から第１幅広カードがケースの奥へ向かって移動し、左側方のロック用可動体の第１操作部を操作している状態を示す図である。
【図１４】図１３に示す状態から第１幅広カードがケースの奥へ向かって移動し、右側方のロック用可動体の第１操作部を操作している状態を示す図である。
【図１５】図１４に示す状態から第１幅広カードがケースの奥へ向かって移動し、挿入阻止用可動体を押倒した状態であるとともに左側方のガイド用可動体を第１幅広カードの挿入軌道外へ退避させている途中の状態を示す図であり、（ａ）は金属カバーを取除いた状態の上面図、（ｂ）背面図である。
【図１６】図１５に示す状態から第１幅広カードがケースの奥へ向かって移動し、左右両側方のガイド用可動体を第１幅広カードの挿入軌道外へ退避させ終えた状態を示す図である。
【図１７】図１６に示す状態から第１幅広カードがケースの奥へ向かって移動し、第１幅広カードの前端がスライダに当接した状態を示す図である。
【図１８】図１７に示す状態から第１幅広カードがスライダとともにケースの奥へ向かって移動し、挿入の限界位置に達した状態を示す図である。
【図１９】図１８に示す状態でロック手段が作動し、スライダが所定位置にロックされた状態を示す図である。
【図２０】第１幅広カードが幅広カード挿入部に挿入されておらず、左右両側のロック用可動体がロック姿勢に保持されている状態を示す拡大上面図である。
【図２１】第１幅広カードの前端が幅広カード挿入部に挿入され、左側方のロック用可動体に当接した状態を示す拡大上面図である。
【図２２】図２１に示す状態から第１幅広カードがケースの奥へ向かって移動したことに伴い、左側方のロック用可動体が操作されて解除姿勢になった状態を示す拡大上面図である。
【図２３】図２２に示す状態から第１幅広カードがケースの奥へ向かって移動したことに伴い、右側方のロック用可動体が操作されて解除姿勢になった状態を示す拡大上面図である。
【図２４】第２幅広カードの前端が幅広カード挿入部に挿入され、左側方のロック用可動体に当接した状態を示す拡大上面図である。
【図２５】図２４に示す状態から第２幅広カードがケースの奥へ向かって移動したことに伴い、左側方のロック用可動体が操作されて解除姿勢になった状態を示す拡大上面図である。
【図２６】図２５に示す状態から第２幅広カードがケースの奥へ向かって移動したことに伴い、右側方のロック用可動体が操作されて解除姿勢になった状態を示す拡大上面図である。
【図２７】図２１に示す状態における左側のロック用可動体と第１幅広カードの左側部との位置関係を示す拡大背面図である。
【図２８】図２２，２３に示す状態における左側のロック用可動体と第１幅広カードの左側部との位置関係を示す拡大背面図である。
【図２９】図２４に示す状態における左側のロック用可動体と第２幅広カードの左側部との位置関係を示す拡大背面図である。
【図３０】図２５，２６に示す状態における左側のロック用可動体と第２幅広カードの左側部との位置関係を示す拡大背面図である。
【符号の説明】
【００７８】
１              ケース
２              ケース本体
３              底板
４Ａ，４Ｂ      軸部
５              端子群
６              端子群
７              カバー
８Ａ，８Ｂ      軸孔
９Ａ，９Ｂ      軸孔
１０            カード挿入空間
１１            挿入口
１２            第１間隔部
１３            第２間隔部
１４            第３間隔部
１５            幅狭カード挿入部（第１カード挿入部）
１６            幅広カード挿入部（第２カード挿入部）
１７            挿入阻止用可動体
１８            板部
１９，２０      軸部
２１            ねじりコイルばね
２２Ａ，２２Ｂ  ロック用可動体
２３Ａ，２３Ｂ  軸部
２４Ａ，２４Ｂ  突起部
２５Ａ，２５Ｂ  第１操作部
２６Ａ，２６Ｂ  第２操作部
２７Ａ，２７Ｂ  ねじりコイルばね
２８Ａ，２８Ｂ  ガイド用可動体
２９Ａ，２９Ｂ  第１回動部材
３０Ａ，３０Ｂ  軸部
３１Ａ，３１Ｂ  ガイド突起
３２Ａ，３２Ｂ  第２回動部材
３３Ａ，３３Ｂ  軸孔
３４Ａ，３４Ｂ  ガイド孔
３５Ａ，３５Ｂ  ねじりコイルばね
３６            スライダ
３７            幅狭カード受部
３８            幅広カード受部
３９            規制部
４０            圧縮コイルばね
４１            ハート型カム溝
４２            ロック部材
４３            片持ちばね
４４            スライダ検知部材
４５            コイルばね
４６            ライトプロテクト検知部材
４７            コイルばね
５０            幅狭カード（第１カード）
５１            肉薄部
６０            第１幅広カード（第２カード）
６１Ａ，６１Ｂ  肉薄部
６２Ａ，６２Ｂ  切欠き
６３            肉厚部
７０            第２幅広カード（第２カード）
【図１】
2007134077.tif 000003
【図２】
2007134077.tif 000004
【図３】
2007134077.tif 000005
【図４】
2007134077.tif 000006
【図５】
2007134077.tif 000007
【図６】
2007134077.tif 000008
【図７】
2007134077.tif 000009
【図８】
2007134077.tif 000010
【図９】
2007134077.tif 000011
【図１０】
2007134077.tif 000012
【図１１】
2007134077.tif 000013
【図１２】
2007134077.tif 000014
【図１３】
2007134077.tif 000015
【図１４】
2007134077.tif 000016
【図１５】
2007134077.tif 000017
【図１６】
2007134077.tif 000018
【図１７】
2007134077.tif 000019
【図１８】
2007134077.tif 000020
【図１９】
2007134077.tif 000021
【図２０】
2007134077.tif 000022
【図２１】
2007134077.tif 000023
【図２２】
2007134077.tif 000024
【図２３】
2007134077.tif 000025
【図２４】
2007134077.tif 000026
【図２５】
2007134077.tif 000027
【図２６】
2007134077.tif 000028
【図２７】
2007134077.tif 000029
【図２８】
2007134077.tif 000030
【図２９】
2007134077.tif 000031
【図３０】
2007134077.tif 000032